(57)【要約】【課題】無線基地局と通信先の表示装置との間で最適に無線通信処理を実行できるようにすると共に、無線通信品質を向上できるようにする。【解決手段】基地局の選択装置１０１と無線通信機能付きの表示装置＃１，＃２との間で無線通信処理をするシステム１００であって、所定の方向に指向性パターンを有する複数のアンテナＡＮＴ１，ＡＮＴ２を備えた選局装置１０１と、選局装置１０１に対して無線通信可能な複数の通信先となる表示装置＃１，＃２とを備え、この選局装置１０１は、アンテナＡＮＴ１，ＡＮＴ２の各々の指向性パターンによる通信エリア内に存在する通信先の表示装置＃ｉを認識処理し、通信先の表示装置＃ｉとアンテナＡＮＴ１，ＡＮＴ２の対応関係を記憶処理し、無線通信時には、アンテナ選択情報に基づいて当該表示装置＃ｉと対応するアンテナＡＮＴ１，ＡＮＴ２を選択処理するものである。【選択図】　　　図４
2004112619.tif 000002
【特許請求の範囲】
【請求項１】
無線基地局と任意の無線端末装置との間で無線通信処理をするシステムであって、
所定の方向に指向性パターンを有する複数のアンテナ体を備えた基地局用の無線通信装置と、
前記基地局用の無線通信装置に対して無線通信可能な複数の通信先となる無線端末装置とを備え、
前記基地局用の無線通信装置は、
前記アンテナ体の各々の指向性パターンの通信エリア内に存在する通信先の無線端末装置を認識処理し、
前記通信先の無線端末装置と前記アンテナ体の対応関係を記憶処理し、
無線通信時には、
記憶処理に基づく当該無線通信装置と対応するアンテナ体を選択処理することを特徴とする無線通信システム。
【請求項２】
少なくとも、前記基地局用の無線通信装置は、
所定の方向に指向性パターンを有する複数のアンテナ体と、
前記アンテナ体の各々の指向性パターンによる通信エリア内に存在する通信先の無線端末装置を認識し、かつ、当該通信先の無線端末装置と前記アンテナ体の対応関係を認識する制御装置とを備え、
前記制御装置は、
無線通信時に、
当該無線通信装置と対応するアンテナ体を選択処理し、
選択処理された前記アンテナ体を使用して当該指向性パターンによる通信エリア内に存在する無線通信装置と通信処理をすることを特徴とする請求項１に記載の無線通信システム。
【請求項３】
前記基地局用の無線通信装置の所定の指向性パターンによる通信エリア内に前記通信先の無線端末装置が配置され、又は前記通信先の無線端末装置が当該指向性パターンの通信エリア間を移動するようになされることを特徴とする請求項１に記載の無線通信システム。
【請求項４】
前記基地局用の無線通信装置には、
前記通信先の無線端末装置と前記アンテナ体の対応関係とをアンテナテーブル化したアンテナ選択情報を記憶する記憶手段が備えられることを特徴とする請求項１に記載の無線通信システム。
【請求項５】
前記無線通信装置では、
前記アンテナ選択情報を更新するように前記記憶手段をメモリ制御することを特徴とする請求項１に記載の無線通信システム。
【請求項６】
前記無線通信装置では、
前記通信先の無線端末装置に対して定期的又は不定期的に通信エリア確認用のデータを送信することを特徴とする請求項１に記載の無線通信システム。
【請求項７】
少なくとも、前記基地局用の無線通信装置に、指向性パターンの異なる２個のアンテナ体が備えられる場合であって、
前記無線通信装置は、
前記アンテナ体の双方から交互に当該指向性パターンによる通信エリア内の通信先の無線端末装置へ基準信号を送信することを特徴とする請求項１に記載の無線通信システム。
【請求項８】
前記基地局用の無線通信装置では、
無線送信時以外は、前記アンテナ体の入力を走査処理して受信待機し、
前記通信先の無線端末装置からの受信電波が最も強いアンテナ体を使用してデータを受信することを特徴とする請求項１に記載の無線通信システム。
【請求項９】
通信先の無線端末装置と任意に無線通信処理をする装置であって、
所定の方向に指向性パターンを有する複数のアンテナ体と、
前記アンテナ体の各々の指向性パターンによる通信エリア内に存在する通信先の無線端末装置を認識し、かつ、当該通信先の無線端末装置と前記アンテナ体の対応関係を認識する制御装置とを備え、
前記制御装置は、
無線通信時に、
当該無線通信装置と対応するアンテナ体を選択処理し、
選択処理された前記アンテナ体を使用して当該指向性内に存在する無線通信装置と通信処理をすることを特徴とする無線通信装置。
【請求項１０】
前記通信先の無線端末装置と前記アンテナ体の対応関係とをアンテナテーブル化したアンテナ選択情報を記憶する記憶手段が備えられることを特徴とする請求項９に記載の無線通信装置。
【請求項１１】
前記制御装置は、
前記アンテナ選択情報を更新するように前記記憶手段をメモリ制御することを特徴とする請求項９に記載の無線通信装置。
【請求項１２】
前記制御装置は、
前記通信先の無線端末装置に対して定期的又は不定期的に通信エリア確認用のデータを送信することを特徴とする請求項９に記載の無線通信装置。
【請求項１３】
少なくとも、指向性の異なる２個の前記アンテナ体が備えられる場合であって、
前記制御装置は、
前記アンテナ体の双方から交互に当該指向性内の通信先の無線端末装置へ基準信号を送信することを特徴とする請求項９に記載の無線通信装置。
【請求項１４】
前記制御装置では、
無線送信時以外は、前記アンテナ体の入力を走査処理して受信待機し、
前記通信先の無線端末装置からの受信電波が最も強いアンテナ体を使用してデータを受信することを特徴とする請求項９に記載の無線通信装置。
【請求項１５】
通信先の無線端末装置と任意に無線通信処理をする方法であって、
所定の方向に指向性パターンを有する複数のアンテナ体を基地局用の無線通信装置に備えると共に、任意の前記指向性パターンによる通信エリア内に無線通信可能な通信先の無線端末装置を準備し、
前記基地局用の無線通信装置では、
前記アンテナ体の各々の指向性パターンによる通信エリア内に存在する通信先の無線端末装置を認識し、
認識された前記通信先の無線端末装置と前記アンテナ体の対応関係を記憶し、
無線送信時には、
当該無線通信装置と対応するアンテナ体を選択し、
選択された前記アンテナ体を使用して当該指向性内に存在する無線通信装置と通信処理をすることを特徴とする無線通信方法。
【請求項１６】
前記基地局用の無線通信装置の所定の指向性パターンによる通信エリア内に前記通信先の無線端末装置を配置し、又は前記通信先の無線端末装置を当該指向性パターンによる通信エリア間を移動するようにしたことを特徴とする請求項１５に記載の無線通信方法。
【請求項１７】
前記通信先の無線端末装置と前記アンテナ体の対応関係とをアンテナテーブル化したアンテナ選択情報を作成することを特徴とする請求項１５に記載の無線通信方法。
【請求項１８】
前記アンテナ選択情報を更新することを特徴とする請求項１５に記載の無線通信方法。
【請求項１９】
前記通信先の無線端末装置に対して定期的又は不定期的に通信エリア確認用のデータを送信することを特徴とする請求項１５に記載の無線通信方法。
【請求項２０】
少なくとも、指向性の異なる２個の前記アンテナ体が備えられる場合であって、
前記アンテナ体の双方から交互に当該指向性内の通信先の無線端末装置へ基準信号を送信することを特徴とする請求項１５に記載の無線通信方法。
【請求項２１】
前記無線送信時以外は、
前記アンテナ体の入力を走査処理して受信待機し、
前記通信先の無線端末装置からの受信電波が最も強いアンテナ体を使用してデータを受信することを特徴とする請求項１５に記載の無線通信方法。
【発明の詳細な説明】
【０００１】
【発明の属する技術分野】
本発明は、使用周波数２．４ＧＨｚ帯や５．２ＧＨｚ帯等を利用した無線ＬＡＮ基地局用の無線通信装置（アクセス・ポイント）に適用して好適な無線通信システム、無線通信装置及び無線通信方法に関する。
【０００２】
詳しくは、無線基地局と任意の無線通信装置との間で無線通信処理をする場合に、所定の方向に指向性パターンを有する複数のアンテナ体を基地局用の無線通信装置に備え、このアンテナ体の各々の指向性パターンによる通信エリア内に存在する通信先の無線端末装置を認識し、この通信先の無線端末装置とアンテナ体の対応関係を記憶する。無線通信時には、この記憶処理に基づいて当該無線通信装置と対応する最適なアンテナ体を選択できるようにすると共に、ここで選択された最適なアンテナ体を使用して当該指向性内に存在する無線通信装置との間で無線通信処理を実行できるようにしたものである。
【０００３】
【従来の技術】
近年、携帯電話機や、電子メール送受信装置等の無線通信機能付きの情報処理装置を使用される場合が多くなってきた。この種の情報処理装置の他にも、無線ＬＡＮカードをノート型のパーソナルコンピュータに取付けて無線端末装置を形成し、アクセス・ポイントを経由して他の情報処理装置と当該無線端末装置との間に無線通信回線を構築し、両装置の間でデータ通信処理するネットワーク情報処理システムが使用されつつある。
【０００４】
この種の無線ＬＡＮ基地局用の無線通信装置によれば、使用周波数に応じた波長のアンテナ体が備えられる。アンテナ体は本体装置の外部に取付ける方法と、その内部に取付ける方法が採られる。本体装置の外部に取付ける場合は、３６０°の指向性パターンを有したアンテナ体を基地局無線通信装置に装備することができる。
【０００５】
本体装置の内部にアンテナ体を取付ける場合は、指向性パターンの異なる２個のアンテナ体を基地局用の無線通信装置に装備する方法が採られる。例えば、装置本体の前面方向に指向性パターンを形成するように一方のダイバーシチィアンテナを装置本体内部の前面側に取付け、その背面に指向性パターンを形成するように他方のダイバーシチィアンテナを無線通信装置内部の背面側に取付けられる。通信エリアを無線通信装置の前面側と背面側に分割して無線通信処理をするためである。
【０００６】
【発明が解決しようとする課題】
ところで、従来方式の基地局用の無線通信装置によれば、その前面側の通信エリア内に存在する無線端末装置と無線通信する場合と、背面側の通信エリア内に存在する無線端末装置と無線通信する場合とにおいてアンテナ体を切り換えるようになされる。
【０００７】
しかしながら、この種の無線通信装置では、前面側の通信エリアと背面側の通信エリア内に存在する無線端末装置が認識されると、アンテナ制御の簡易化を図るために、次にデータを送信するアンテナに関しては、当該無線通信装置がデータを最後に受信したアンテナを使用して実行するアンテナ制御方式が採られる。
【０００８】
従って、前面側の通信エリア内に存在する無線端末装置からのデータを受信した直後に、背面側の通信エリア内に存在する無線端末装置へデータを送信する場合が生じたとき、データを最後に受信したアンテナ体が使用されることになってしまい、最適なアンテナから背面側の通信エリア内に存在する無線端末装置へデータを送信することができない場合が生じる。このことで、通信内容が途切れてしまって、最適に無線通信処理を行うことができなくなるおそれがある。
【０００９】
そこで、この発明はこのような従来の課題を解決したものであって、無線基地局と通信先の無線端末装置との間で最適に無線通信処理を実行できるようにすると共に、無線通信品質を向上できるようにした無線通信システム、無線通信装置及び無線通信方法を提供することを目的とする。
【００１０】
【課題を解決するための手段】
上述した課題は、無線基地局と任意の無線通信装置との間で無線通信処理をするシステムであって、所定の方向に指向性パターンを有する複数のアンテナ体を備えた基地局用の無線通信装置と、基地局用の無線通信装置に対して無線通信可能な複数の通信先となる無線通信装置とを備え、この基地局用の無線通信装置は、アンテナ体の各々の指向性パターンによる通信エリア内に存在する通信先の無線端末装置を認識処理し、通信先の無線端末装置とアンテナ体の対応関係を記憶処理し、無線通信時には、記憶処理に基づいて当該無線通信装置と対応するアンテナ体を選択処理することを特徴とする無線通信システムによって解決される。
【００１１】
本発明に係る無線通信システムによれば、無線基地局と任意の無線通信装置との間で無線通信処理をする場合に、所定の方向に指向性パターンを有する複数のアンテナ体を備えた基地局用の無線通信装置が配置され、この基地局用の無線通信装置に対して無線通信可能な複数の通信先となる無線通信装置が準備される。これを前提にして、例えば、基地局用の無線通信装置の所定の指向性パターンによる通信エリア内に通信先の無線端末装置が配置され、又は、その指向性パターンによる通信エリア間を移動するようになされる。
【００１２】
この基地局用の無線通信装置では、例えば、定期的又は不定期的にアンテナ体の各々の指向性パターンによる通信エリア内に存在する通信先の無線端末装置が認識処理され、この通信先の無線端末装置とアンテナ体の対応関係が記憶処理される。無線通信時には、この記憶処理に基づいて当該無線通信装置と対応するアンテナ体を選択処理するようになされる。
【００１３】
従って、当該無線通信装置と対応する最適なアンテナ体を常に選択できるので、前面側の通信エリア内に存在する無線端末装置からのデータを受信した直後に、背面側の通信エリア内に存在する無線端末装置へデータを送信する場合でも、最適なアンテナ体を使用して当該指向性パターンによる通信エリア内に存在する無線通信装置との間で無線通信処理を行うことができる。しかも、従来方式に比べて、通信内容が途切れることなく、最適に無線通信処理を行うことができる。従って、当該システムを無線ＬＡＮなどのアクセスポイントに適用した場合等において、無線通信品質の向上に寄与するところが大きい。
【００１４】
本発明に係る無線通信装置は、通信先の無線端末装置と任意に無線通信処理をする装置であって、所定の方向に指向性パターンを有する複数のアンテナ体と、このアンテナ体の各々の指向性パターンによる通信エリア内に存在する通信先の無線端末装置を認識し、かつ、当該通信先の無線端末装置とアンテナ体の対応関係を認識する制御装置とを備え、制御装置は無線通信時に、当該無線通信装置と対応するアンテナ体を選択処理し、ここで選択処理されたアンテナ体を使用して当該指向性内に存在する無線通信装置と通信処理をすることを特徴とするものである。
【００１５】
本発明に係る無線通信装置によれば、通信先の無線端末装置と任意に無線通信処理をする場合に、所定の方向に指向性パターンを有する複数のアンテナ体が備えられ、制御装置では、このアンテナ体の各々の指向性パターンによる通信エリア内に存在する通信先の無線端末装置が認識され、かつ、当該通信先の無線端末装置とアンテナ体の対応関係が認識される。これを前提にして、この制御装置は無線通信時に、当該無線通信装置と対応するアンテナ体を選択し、ここで選択されたアンテナ体を使用して当該指向性内に存在する無線通信装置と通信処理をするようになされる。
【００１６】
従って、常に、最適なアンテナ体を使用して当該指向性内に存在する無線通信装置との間で無線通信処理を行うことができる。しかも、従来方式に比べて、通信内容が途切れることなく、最適に無線通信処理を行うことができる。従って、無線通信品質の向上に寄与するところが大きい。
【００１７】
本発明に係る無線通信方法は通信先の無線端末装置と任意に無線通信処理をする方法であって、所定の方向に指向性パターンを有する複数のアンテナ体を基地局用の無線通信装置に備えると共に、任意の指向性パターンによる通信エリア内に無線通信可能な通信先の無線端末装置を準備し、基地局用の無線通信装置では、アンテナ体の各々の指向性パターンによる通信エリア内に存在する通信先の無線端末装置を認識し、ここで認識された通信先の無線端末装置とアンテナ体の対応関係を記憶し、無線通信時には、当該無線通信装置と対応するアンテナ体を選択し、ここで選択されたアンテナ体を使用して当該指向性内に存在する無線通信装置と通信処理をすることを特徴とするものである。
【００１８】
本発明に係る無線通信方法によれば、通信先の無線端末装置と任意に無線通信処理をする場合に、常に、最適なアンテナ体を使用して当該指向性パターンによる通信エリア内に存在する無線通信装置との間で無線通信処理を行うことができる。しかも、従来方式に比べて、通信内容が途切れることなく、最適に無線通信処理を行うことができる。
【００１９】
【発明の実施の形態】
続いて、この発明に係る無線通信システム、無線通信装置及び無線通信方法の一実施の形態について、図面を参照しながら説明をする。
（１）実施形態
図１は本発明に係る実施形態としての無線通信システム１００の構成例を示す概念図である。
この実施形態では、無線基地局と任意の無線通信装置との間で無線通信処理をする場合に、所定の方向に指向性パターンを有する複数のアンテナ体を基地局用の無線通信装置に備え、このアンテナ体の各々の指向性パターンによる通信エリア内に存在する通信先の無線端末装置を認識し、この通信先の無線端末装置とアンテナ体の対応関係を記憶する。無線通信時には、この記憶処理に基づいて当該無線通信装置と対応する最適なアンテナ体を選択できるようにすると共に、ここで選択された最適なアンテナ体を使用して当該指向性内に存在する無線通信装置との間で無線通信処理を実行できるようにしたものである。
【００２０】
図１に示す無線通信システム１０は、無線基地局と任意の無線端末装置との間で無線通信処理をするシステムである。このシステム１０は使用周波数２．４ＧＨｚ帯や５．２ＧＨｚ帯等を利用した無線ＬＡＮシステム等に適用して好適である。このシステム１０は基地局用の無線通信装置１を備えている。この無線通信装置１には所定の方向に指向性パターンを有する複数のアンテナ体が設けられている。アンテナ体には２個のダイバーシチィアンテナ（以下単にアンテナＡＮＴ１、ＡＮＴ２という）が使用される。
【００２１】
この無線通信装置１に対して無線通信可能な複数の通信先となる無線端末装置＃ｉ（ｉ＝１〜ｎ）が予め準備される。このシステム１０で無線通信装置１の所定の指向性パターンによる通信エリア内に通信先の無線端末装置＃ｉが配置され、又は通信先の無線端末装置＃ｉが当該指向性パターンによる通信エリア間を移動するようになされる。例えば、無線端末装置＃１がアンテナＡＮＴ１に近い位置に、無線端末装置＃２がアンテナＡＮＴ２に近い位置に配置されている。
【００２２】
この無線通信装置１は、アンテナＡＮＴ１，ＡＮＴ２の各々の指向性パターンによる通信エリア内に存在する通信先の無線端末装置＃ｉを認識処理し、通信先の無線端末装置＃ｉとアンテナＡＮＴ１，ＡＮＴ２・・・等の対応関係を記憶処理し、無線通信時には、先に記憶された情報の読み出し処理に基づいて当該無線端末装置＃ｉと対応するアンテナＡＮＴ１又はＡＮＴ２・・・を選択処理するようになされる。
【００２３】
このシステム１０で無線通信装置１は、通信先の無線端末装置＃ｉに対して定期的又は不定期的に通信エリア確認用のデータを送信するようになされる。これにより、通信先の無線端末装置＃ｉが当該指向性パターンによる通信エリア間を移動するような場合であっても、最適なアンテナＡＮＴ１又はＡＮＴ２・・・と当該無線端末装置＃ｉとの対応関係を検知することができる。
【００２４】
このシステム１０で無線通信装置１は、通信先の無線端末装置＃ｉと任意に無線通信処理をするために、例えば、２個のアンテナＡＮＴ１，ＡＮＴ２、アンテナ切換え器２、送受信手段３、記憶手段４及び制御装置５を有している。
【００２５】
アンテナＡＮＴ１には例えば、無線通信装置本体の前面方向に指向性パターンを有するダイバーシチィアンテナが使用され、アンテナＡＮＴ２には例えば、無線通信装置本体の背面方向に指向性パターンを有するダイバーシチィアンテナが使用される。このアンテナＡＮＴ１，ＡＮＴ２にはアンテナ切換え器２が接続されている。
【００２６】
このアンテナ切換え器２はａ１接点、ｂ１接点及びｃ中性点を有している。ＡＮＴ１はアンテナ切換え器２のａ１接点に接続され、ＡＮＴ１２はそのｂ１接点に各々接続されている。アンテナ切換え器２はアンテナ選択信号Ｓ１に基づいてアンテナＡＮＴ１，ＡＮＴ２を切り換えるようになされる。アンテナ選択信号Ｓ１は制御装置５から供給される。
【００２７】
アンテナ切換え器２には送受信手段３が接続され、通信先の無線端末装置＃ｉへ基準信号ＳＲや、接続応答信号ＳＡ、データＤＯＵＴ等の送信処理したり、通信先の無線端末装置＃ｉからの接続要求信号ＳＣを受信処理するようになされる。アンテナ切換え器２のｃ中性点は送受信手段３に接続される。
【００２８】
送受信手段３には制御装置５が接続され、各々の指向性パターンによる通信エリア内に存在する通信先の無線端末装置＃ｉを認識し、かつ、当該通信先の無線端末装置＃ｉとアンテナＡＮＴ１，ＡＮＴ２・・・の対応関係を認識するようになされる。制御装置５は無線通信時に、当該無線端末装置＃ｉと対応するアンテナＡＮＴ１，ＡＮＴ２・・・を選択処理し、ここで選択処理されたアンテナＡＮＴ１，ＡＮＴ２・・・を使用して当該指向性内に存在する無線端末装置＃ｉと通信処理をするようになされる。
【００２９】
この制御装置５には記憶手段４が接続され、通信先の無線端末装置＃ｉとアンテナＡＮＴ１，ＡＮＴ２の対応関係とをアンテナテーブル化してアンテナ選択情報Ｄ１を記憶するようになされる。記憶手段４にはＲＡＭ（随時書込み読出し可能なメモリ）が使用され、ＲＡＭはワークメモリとしても使用される。この例では、アンテナ選択情報Ｄ１が２つのアンテナＡＮＴ１又はＡＮＴ２のいずれか一方を選択する情報となる。アンテナ選択情報Ｄ１には各々の指向性パターンによる通信エリア内に存在する通信先の無線端末装置＃ｉのＩＤ情報が対応付けられ、アンテナテーブル４４が構成されている。このアンテナテーブル４４により、各々の指向性パターンによる通信エリア内に存在する通信先の無線端末装置＃ｉに対する最適なアンテナＡＮＴ１，ＡＮＴ２を管理することができる。
【００３０】
このアンテナ選択情報Ｄ１は、最適なアンテナＡＮＴ１，ＡＮＴ２を使用して無線通信処理するために更新される。例えば、制御装置５が記憶手段４の内容を書き換える（上書きする）ようにメモリ制御を実行する。これにより、アンテナテーブル４４の内容が更新される。通信先の無線端末装置＃ｉが当該指向性パターンによる通信エリアから他の指向性パターンによる通信エリアへ移動する場合が想定されるからである。
【００３１】
そのためにも、制御装置５は、通信先の無線端末装置＃ｉに対して定期的又は不定期的に通信エリア確認用のデータを送信するようになされる。例えば、無線通信装置１及び無線端末装置＃ｉ双方の電源をオンした場合に、無線通信装置１では、各々の指向性パターンによる通信エリア内に存在する通信先の無線端末装置＃ｉを認識するようになされる。これにより、最適なアンテナＡＮＴ１，ＡＮＴ２と当該無線端末装置＃ｉとの対応関係を検知することができる。
【００３２】
続いて、本発明に係る無線通信方法について、当該無線通信システム１０における端末認識時及び無線データ送信時の処理例について説明をする。図２は本発明に係る実施形態としての無線通信システム１０における端末認識時及び無線送信時の処理例を示すフローチャートである。図３は、本発明に係る基地局用の無線通信装置１の動作例を示すタイムチャートである。
【００３３】
この実施形態では通信先の無線端末装置＃ｉと任意に無線通信処理をする場合に、無線通信装置本体の前面方向に指向性パターンを有するアンテナＡＮＴ１と、その背面方向に指向性パターンを有するアンテナＡＮＴ２の２個を当該無線通信装置１に備えると共に、各々の指向性パターンによる通信エリア内に無線通信可能な通信先の無線端末装置＃ｉ（ｉ＝１，２）が予め準備される。このような指向性の異なる２個のアンテナＡＮＴ１，ＡＮＴ２が備えられる場合であって、無線通信装置１は、アンテナＡＮＴ１，ＡＮＴ２の双方から交互に当該指向性内の通信先の無線端末装置＃ｉへ基準信号ＳＲを送信する。
【００３４】
このとき、従来方式と比べて、基準信号ＳＲを両方のアンテナＡＮＴ１，ＡＮＴ２から交互に送信するようにして、通信先の無線端末装置＃ｉが基準信号ＳＲを認識できる範囲を拡大するようにして、通信可能距離を長くするようにした。また、通信先の無線端末装置＃１及び＃２の位置は、図１に示したように、無線端末装置＃１がアンテナＡＮＴ１に近い位置に、無線端末装置＃２がアンテナＡＮＴ２に近い位置に配置されている場合を想定する。
【００３５】
これを処理条件にして、図２に示すフローチャートのステップＡ１で電源をオンする。その後、ステップＡ２に移行して図１に示したアンテナＡＮＴ１より、一方の指向性パターンによる通信エリア内に存在する通信先の無線端末装置＃１へ基準信号ＳＲが送信される（図３の▲１▼参照）。これに引き続いて、アンテナＡＮＴ２より他方の指向性パターンによる通信エリア内に存在する通信先の無線端末装置＃２へ基準信号ＳＲが送信される（図３の▲２▼参照）。
【００３６】
その後、ステップＡ３で無線通信装置１では、アンテナＡＮＴ１及びＡＮＴ２の各々の指向性パターンによる通信エリア内に存在する通信先の無線端末装置＃ｉ（＃１及び＃２）を認識するようになされる。このとき、アンテナＡＮＴ１からの基準信号ＳＲを受けた無線端末装置＃１は接続要求信号ＳＣを無線通信装置１へ送信し、その無線通信回線の接続要求を通知する。無線通信装置１は無線端末装置＃１からの接続要求信号ＳＣを受信する（図３の▲３▼参照）。
【００３７】
次に、ここで認識された通信先の無線端末装置＃ｉとアンテナＡＮＴ１の対応関係をステップＡ４で記憶処理する。このとき、無線端末装置＃１からの接続要求信号ＳＣを受けた無線通信装置１は、制御装置５によってアンテナテーブル４４に無線端末装置＃１の端末ＩＤとして例えば、「＃１」を記述し、最適アンテナとして「ＡＮＴ１」を登録（設定）する。これにより、アンテナ設定情報Ｄ１が記憶される。
【００３８】
さらに、無線通信装置１は無線端末装置＃１に対してアンテナＡＮＴ１を使用して接続応答信号ＳＡを送信する（図３の▲４▼参照）。そして、無線端末装置＃１と無線通信装置１とを接続し、この間の無線通信回線を確立するようになされる。
【００３９】
その後、ステップＡ５に移行して他のアンテナについてチェックするかが判別される。他のアンテナについてもチェックする場合は、ステップＡ３に戻る。ステップＡ３ではアンテナＡＮＴ２の指向性パターンによる通信エリア内に存在する通信先の無線端末装置＃２を認識する。このとき、先にアンテナＡＮＴ２から基準信号ＳＲを受けた無線端末装置＃２では、接続要求信号ＳＣを無線通信装置１に送信し、その無線通信回線の接続要求を通知する。無線通信装置１は無線端末装置＃２からの接続要求信号ＳＣを受信する（図３の▲５▼参照）。
【００４０】
この通知を受けた無線通信装置１では、ステップＡ４に移行して制御装置５によりアンテナテーブル４４に無線端末装置＃２の端末ＩＤとして「＃２」を追加し、最適アンテナとして「ＡＮＴ２」を設定する。これにより、アンテナ設定情報Ｄ１が記憶される。さらに、無線端末装置＃２に対して接続応答信号ＳＡをアンテナＡＮＴ２より送信して無線端末装置＃２と無線通信装置１とを接続しこの間の無線通信回線を確立する（図３の▲６▼参照）。
【００４１】
そして、ステップＡ６で無線通信装置１ではデータを無線送信するかがチェックされる。データを送信する場合は、ステップＡ７に移行してデータを送信する通信先の無線端末装置＃ｉと対応するアンテナＡＮＴ１又はＡＮＴ２のいずれかを選択するようになされる。
【００４２】
［無線通信装置１から無線端末装置＃１へデータを送信する場合］
この場合は、ステップＡ７で無線通信装置１によってアンテナテーブル４４が参照され、無線端末装置＃１に対する最適なアンテナである「ＡＮＴ１」を選択する。そして、アンテナ選択情報Ｄ１に基づいてアンテナ選択信号Ｓ１をアンテナ切換え器２に出力する。この結果、アンテナＡＮＴ１に接続されたａ１接点が送受信手段３に接続される。ここで接続されたアンテナＡＮＴ１を使用してステップＡ８で当該指向性内に存在する無線端末装置＃１へデータを送信等して通信処理を実行するようになされる（図３▲７▼参照）。その後、ステップＡ１１に移行する。
【００４３】
因みに従来方式の無線通信方法によると、最後に無線通信装置１が受信したデータは、無線端末装置＃２からの接続要求信号ＳＣである。つまり、アンテナテーブル４４が無い場合、従来方式ではアンテナＡＮＴ２からこの信号ＳＣを受信したため、再びこのアンテナＡＮＴ２を使用して無線端末装置＃１へデータを送信するようなシーケンスを採ることになる。本発明方式ではこのような制御を回避することができる。
【００４４】
なお、無線端末装置＃１から無線通信装置１へデータを送信する場合は、無線通信装置１では送信処理以外は、ステップＡ１０に移行してアンテナ切換え器２を走査して入力を待機しているので、通信先の無線端末装置＃ｉからの受信電波が最も強いアンテナＡＮＴ１を使用してデータを受信するようになされる（図３▲８▼参照）。
【００４５】
もちろん、無線端末装置＃１がアンテナＡＮＴ２の指向性パターンによる通信エリアに移動している場合は、無線端末装置＃１からの受信電波がアンテナＡＮＴ２によって最も強く受信されることから、このアンテナＡＮＴ２を使用してデータを受信するようになされる。これと共に、記憶手段４では制御装置５のメモリ制御を受けて、無線端末装置＃１の最適なアンテナがＡＮＴ２である旨のアンテナ選択情報Ｄ１を書き換えるようになされる。
【００４６】
［無線通信装置１から無線端末装置＃２へデータを送信する場合］
この場合も、ステップＡ７で無線通信装置１によってアンテナテーブル４４が参照され、無線端末装置＃２に対する最適なアンテナである「ＡＮＴ２」を選択するようになされる。そして、アンテナ選択情報Ｄ１に基づいてアンテナ選択信号Ｓ１をアンテナ切換え器２に出力する。この結果、アンテナＡＮＴ２に接続されたｂ１接点が送受信手段３に接続される。ここで接続されたアンテナＡＮＴ２を使用してステップＡ９で当該指向性内に存在する無線端末装置＃２にデータを送信等して通信処理を実行するようになされる（図３▲９▼参照）。その後、ステップＡ１１に移行する。
【００４７】
因みに従来方式の無線通信方法によると、最後に無線通信装置１が受信したデータは、無線端末装置＃１からのデータである。従って、アンテナテーブル４４が無い場合、従来方式ではアンテナＡＮＴ１から受信したため、再びこのアンテナＡＮＴ１を使用して無線端末装置＃２へデータを送信するようなシーケンスを採られてしまう。本発明方式ではこのような制御を回避することができる。
【００４８】
また、無線端末装置＃２が無線通信装置１へデータを送信する場合は、無線通信装置１では送信処理以外は、上述したようにステップＡ１０でアンテナ切換え器２を走査して入力を待機しているので、通信先の無線端末装置＃ｉからの受信電波が最も強いアンテナＡＮＴ２を使用してデータを受信するようになされる。
【００４９】
その後、ステップＡ１１に移行する。ステップＡ１１では当該通信処理を終了するかがチェックされる。例えば、電源オフ情報を検出して当該通信処理を終了する。当該通信処理を終了しない場合はステップＡ６に戻ってデータを送信するかがチェックされ、上述した処理を繰り返すようになされる。
【００５０】
このように、本発明に係る実施形態としての無線通信システム１０によれば、無線基地局としての無線通信装置１と任意の無線端末装置＃ｉとの間で無線通信処理をする場合に、無線通信装置１では、定期的又は不定期的にアンテナＡＮＴ１，ＡＮＴ２の各々の指向性パターンによる通信エリア内に存在する通信先の無線端末装置＃ｉが認識処理され、この通信先の無線端末装置＃ｉとアンテナＡＮＴ１，ＡＮＴ２の対応関係が記憶処理される。無線通信時には、この記憶処理に基づいて当該無線端末装置＃ｉと対応するアンテナＡＮＴ１又はＡＮＴ２を選択処理するようになされる。
【００５１】
従って、当該無線端末装置＃ｉと対応する最適なアンテナＡＮＴ１，ＡＮＴ２を常に選択できるので、前面側の通信エリア内に存在する無線端末装置＃１からのデータを受信した直後に、背面側の通信エリア内に存在する無線端末装置＃２へデータを送信する場合でも、最適なアンテナＡＮＴ２を使用して当該指向性内に存在する無線端末装置＃２との間で無線通信処理を行うことができる。しかも、従来方式に比べて、通信内容が途切れることなく、最適に無線通信処理を行うことができる。これにより、当該システム１０を無線ＬＡＮなどのアクセスポイントに適用した場合等において、無線通信品質の向上に寄与するところが大きい。
【００５２】
（２）実施例
図４は本発明に係る実施例としての無線ＬＡＮシステム１００の構成例を示す斜視図である。
この実施例では、無線通信装置の一例となる基地局用の選局装置１０１を備えると共に、通信先の無線端末装置として２台の無線通信機能付きの表示装置＃ｉ（ｉ＝１，２）を備え、無線ＬＡＮシステム１００を構築するようにしたものである。
【００５３】
もちろん、選局装置１０１には指向性の異なる２個のダイバーシチィアンテナ（以下単にアンテナＡＮＴ１，ＡＮＴ２という）が設けられ、選局装置１０１では、定期的又は不定期的にアンテナＡＮＴ１，ＡＮＴ２の各々の指向性パターンによる通信エリア内に存在する通信先の表示装置＃ｉが認識処理され、この通信先の表示装置＃ｉとアンテナＡＮＴ１，ＡＮＴ２の対応関係が記憶処理される。無線通信時には、この記憶処理に基づいて当該表示装置＃ｉと対応するアンテナＡＮＴ１又はＡＮＴ２を選択処理するようになされる。
【００５４】
図４に示す無線ＬＡＮシステム１００は、基地局（ベース・ステーション）用の選局装置１０１と無線通信機能付き表示装置（エアボード（Ｒ））＃１，＃２との間で無線通信処理をするシステムである。このシステム１００で選局装置１０１の所定の指向性パターンによる通信エリア内に通信先の表示装置＃ｉが配置され、又は通信先の表示装置＃ｉが当該指向性パターンによる通信エリア間を移動するようになされる。例えば、表示装置＃１がアンテナＡＮＴ１に近い位置に、表示装置＃２がアンテナＡＮＴ２に近い位置に配置されている。
【００５５】
この選局装置１０１は、アンテナＡＮＴ１，ＡＮＴ２の各々の指向性パターンによる通信エリア内に存在する通信先の表示装置＃ｉを認識処理し、通信先の表示装置＃ｉとアンテナＡＮＴ１、ＡＮＴ２等の対応関係をアンテナ選択情報Ｄ１にして記憶処理し、無線データ送信時には、先に記憶されたアンテナ選択情報Ｄ１の読み出し処理に基づいて当該表示装置＃ｉと対応するアンテナＡＮＴ１又はＡＮＴ２を選択処理するようになされる。
【００５６】
このシステム１０で選局装置１０１は、通信先の表示装置＃ｉに対して定期的又は不定期的に通信エリア確認用のデータを送信するようになされる。これにより、通信先の表示装置＃ｉが当該指向性パターンによる通信エリア間を移動するような場合であっても、最適なアンテナＡＮＴ１又はＡＮＴ２と当該表示装置＃ｉとの対応関係を検知することができる。
【００５７】
図５は基地局用の選局装置１０１におけるアンテナ取付例を示す斜視図である。図６Ａ及びＢはアンテナＡＮＴ１及びＡＮＴ２の指向性パターンの例を示す概念図である。図５に示すアンテナＡＮＴ１及びＡＮＴ２は選局装置１０１の装置本体１１の内側に取付けられている。アンテナＡＮＴ１は例えば、装置本体１１の内側前面部位に取付けられ、装置本体１１の前面方向に指向性パターンを有するものである。
【００５８】
アンテナＡＮＴ２は例えば、装置本体１１の内側背面部位に取付けられ、装置本体１１の背面方向に指向性パターンを有するものである。いずれのアンテナＡＮＴ１及びＡＮＴ２も、マイクロストリップアンテナ等のダイバーシチィアンテナが使用される。
【００５９】
これらのアンテナＡＮＴ１及びＡＮＴ２の指向性パターンは、いずれも、図６に示すように水平面内（ｘ−ｙ平面）指向特性において、アンテナ導体と到来電波の成す角度θを９０°とした場合に半円形状を成し、垂直面内（ｘ−ｚ平面）指向特性において、受信電力が最大感度方向の１／２以上の電力が得られる範囲を示す電力半値角φ＝０°において半円形状を成している。
【００６０】
図７は選局装置１０１の通信エリアＩ，ＩＩの形成例を示す概念図である。図７に示す選局装置１０１の装置本体１１の前面には上述した前面方向の指向性パターンによる通信エリアＩが形成される。この通信エリアＩに表示装置＃ｉが配置又は移動された場合は、選局装置１０１ではアンテナＡＮＴ１を使用して通信処理をするようになされる。
【００６１】
また、装置本体１１の背面には上述した背面方向の指向性パターンによる通信エリアＩＩが形成される。この通信エリアＩＩに表示装置＃ｉが配置又は移動された場合は、選局装置１０１ではアンテナＡＮＴ２を使用して通信処理をするようになされる。最適なアンテナＡＮＴ１及びＡＮＴ２を使用して当該指向性パターンによる通信エリア内に存在する表示装置＃ｉとの間で無線通信処理を行うためである。
【００６２】
［選局装置］
図８は選局装置１０１の内部構成例を示すブロック図である。この選局装置１０１は、無線ＬＡＮシステム１００で通信先の表示装置＃ｉと任意に無線通信処理をするために、少なくとも、２個のアンテナＡＮＴ１，ＡＮＴ２、アンテナ切換え器２、送受信手段３、ＲＡＭ２０３及びＤＳＰ５０を有している。また、選局装置１０１はテレビ放送信号や、電話線Ｌを通じて提供される各種の情報をテレビ受信システムに取り込んだり、このテレビ受信システムから電話線Ｌを通じて通信ネットワークに情報を送出したりするインターフェースとしての機能を有している。
【００６３】
この選局装置１０１の各部は制御装置の一例となる制御部２００によって制御するようにされている。制御部２００は、図８に示すように、ＣＰＵ（Ｃｅｎｔｒａｌ　Ｐｒｏｃｅｓｓｉｎｇ　Ｕｎｉｔ）２０１、ＲＯＭ（Ｒｅａｄ　Ｏｎｌｙ　Ｍｅｍｏｒｙ）２０２、ＲＡＭ（Ｒａｎｄｏｍ　Ａｃｃｅｓｓ　Ｍｅｍｏｒｙ）２０３、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）２０４がＣＰＵバス２０６を通じて接続されて構成されたマイクロコンピュータである。
【００６４】
ここで、ＲＯＭ２０２は、この選局装置１０１において実行する各種の処理プログラムや情報処理に必要なデータなどが記録されたものである。ＲＡＭ２０３は記憶手段の一例であり、ＣＰＵバス２６に接続されており、通信先の表示装置＃ｉとアンテナＡＮＴ１，ＡＮＴ２の対応関係とをアンテナテーブル化してアンテナ選択情報Ｄ１を記憶するようになされる。ＲＡＭ２０３は、各種の処理において得られたデータを一時的に記憶保持するなどのように、主に各種の処理の作業領域として用いられるものである。
【００６５】
この例では、アンテナ選択情報Ｄ１が２つのアンテナＡＮＴ１又はＡＮＴ２のいずれか一方を選択する情報となる。アンテナ選択情報Ｄ１には各々の指向性パターンによる通信エリア内に存在する通信先の表示装置＃ｉのＩＤ情報が対応付けられ、アンテナテーブル４４が構成されている。このアンテナテーブル４４により、各々の指向性パターンによる通信エリア内に存在する通信先の表示装置＃ｉに対する最適なアンテナＡＮＴ１，ＡＮＴ２を管理することができる。
【００６６】
このアンテナ選択情報Ｄ１は、最適なアンテナＡＮＴ１，ＡＮＴ２を使用して無線通信処理するために更新される。例えば、ＣＰＵ２０１がＲＡＭ２０３の内容を書き換える（上書きする）ようにメモリ制御を実行する。これにより、アンテナテーブル４４の内容が更新される。通信先の表示装置＃ｉが当該指向性パターンによる通信エリアから他の指向性パターンによる通信エリアへ移動する場合が想定されるからである。
【００６７】
ＥＥＰＲＯＭ２０４は、いわゆる不揮発性のメモリであり、電源が落とされても、記憶保持した情報が失われることがなく、例えば、選局装置１０１の主電源が落とされる直前まで選局していた放送チャンネルの情報を記憶保持し、電源投入後においては、前回電源が落とされる直前まで選局していたチャンネルの放送信号を選局するようにするいわゆるラストチャンネルメモリ機能を実現することなどができるようにしている。
【００６８】
この選局装置１０１によれば、屋外に設置されたテレビ放送信号受信用のアンテナ１１１からのアンテナケーブル１１１ｃｂは、接続端子Ｔ１を通じて選局装置１０１の選局部１１２に接続される。このアンテナ１１１により受信されたテレビ放送信号は選局部１１２に供給される。
【００６９】
選局部１１２では受信用のアンテナ１１１からのテレビ放送信号の中から、制御部２００からの選局指示信号に応じたテレビ放送信号を選局し、この選局したテレビ放送信号を復調部１１３に供給する。復調部１１３はこれに供給されたテレビ放送信号を復調して、復調後の信号（テレビ番組の信号）をスイッチ回路１１４の入力端ａに供給する。
【００７０】
スイッチ回路１１４は制御部２００からの切り換え制御信号により切り換え制御され、復調部１１３から入力端ａに供給されるテレビ番組の信号を出力するのか、あるいは、制御部２００から入力端ｂに供給される信号を出力するのかを切り換える。なお、制御部２００からスイッチ回路１１４に供給される信号は後述もするように、電話線Ｌを通じて選局装置１０１に供給され、通信用のモデム部２１０を通じて受信した電子メールやインターネット等のいわゆるホームページの情報などである。
【００７１】
また、スイッチ回路１１４から出力された信号は圧縮処理部１１５に供給される。圧縮処理部１１５はこれに供給された信号を所定の圧縮方式を用いてデータ圧縮する。この圧縮処理部１１５においては例えば、ＭＰＥＧ（Ｍｏｖｉｎｇ　ＰｉｃｔｕｒｅＥｘｐｅｒｔ　Ｇｒｏｕｐ）方式やＷａｖｅｌｅｔ方式などのデータ圧縮方式を用いて、スイッチ回路１１４からの信号をデータ圧縮する。
【００７２】
圧縮処理部１１５においてデータ圧縮された信号は送信信号形成部１１６に供給される。送信信号形成部１１６は予め決められた通信プロトコルに準拠した送信信号を形成する。この選局装置１０１においてはＩＥＥＥ（Ｉｎｓｔｉｔｕｔｅ　Ｅｌｅｃｔｒｉｃａｌ　ａｎｄ　Ｅｌｅｃｔｒｏｎｉｃｓ　Ｅｎｇｉｎｅｅｒｓ）８０２．１１方式のプロトコル、あるいはその発展プロトコルに準拠した送信信号を形成する。
【００７３】
送信信号形成部１１６には制御装置を構成するＤＳＰ（Ｄｉｇｉｔａｌ　Ｓｉｇｎａｌ　Ｐｒｏｃｅｓｓｏｒ）５０が接続され、各々の指向性パターンによる通信エリア内に存在する通信先の表示装置＃ｉを認識し、かつ、当該通信先の表示装置＃ｉとアンテナＡＮＴ１又はＡＮＴ２の対応関係を認識するようになされる。ＤＳＰ５０は無線通信時に、当該表示装置＃ｉと対応するアンテナＡＮＴ１又はＡＮＴ２のいずれかを選択し、ここで選択処理されたアンテナＡＮＴ１又はＡＮＴ２を使用して当該指向性内に存在する表示装置＃ｉと通信処理をするようになされる。
【００７４】
また、ＤＳＰ５０は通信先の表示装置＃ｉに対して定期的又は不定期的に通信エリア確認用のデータを送信するようになされる。例えば、選局装置１０１及び表示装置＃ｉ双方の電源をオンした場合に、選局装置１０１では、各々の指向性パターンによる通信エリア内に存在する通信先の表示装置＃ｉを認識するようになされる。これにより、最適なアンテナＡＮＴ１，ＡＮＴ２と当該表示装置＃ｉとの対応関係を検知することができる。
【００７５】
ＤＳＰ５０においてデジタル処理された送信信号は送受信手段３に供給される。送受信手段３は送信処理部１１７Ｓ、共用部１１７Ｋ及び受信処理部１１７Ｒを有している。ＤＳＰ５０からの送信信号は送信処理部１１７Ｓに供給される。送信処理部１１７Ｓは制御部２００からの制御信号に応じて、送信信号の変調処理や増幅処理を行う。送信処理部１１７Ｓでは例えば、通信先の表示装置＃ｉへ基準信号ＳＲや、接続応答信号ＳＡ、データＤＯＵＴ等の送信処理する。
【００７６】
送信処理部１１７Ｓにおいて処理された送信信号は共用部１１７Ｋに出力される。共用部１１７ＫはＤＳＰ５０から出力される送受信切換え信号Ｓ２に基づいて送信信号Ｔｘの出力又は受信信号Ｒｘの入力を切り換えるようになされる。送信信号Ｔｘと受信信号Ｒｘとが干渉し合うことを防止するものである。すなわち、この選局装置１０１では前述したように、表示装置＃ｉから無線送信される指示情報などをアンテナＡＮＴ１，ＡＮＴ２を通じて受信することができるように構成されたものである。
【００７７】
そこで、共用部１１７Ｋは送信処理部１１７Ｓからの送信信号Ｔｘが、アンテナＡＮＴ１又はＡＮＴ２を通じて受信される受信信号Ｒｘに対して干渉することがないようにしている。共用部１１７Ｋにはアンテナ切換え器２が接続されている。アンテナ切換え器２のｃ中性点は共用部１１７Ｋの中性点ｎに接続される。アンテナ切換え器２はアンテナ選択信号Ｓ１に基づいてアンテナＡＮＴ１，ＡＮＴ２を切り換えるようになされる。アンテナ選択信号Ｓ１はＤＳＰ５０から供給される。
【００７８】
このアンテナ切換え器２にはアンテナＡＮＴ１，ＡＮＴ２が接続されている。アンテナＡＮＴ１には例えば、選局装置１０１の装置本体１１の前面方向に指向性パターンを有するダイバーシチィアンテナが使用され、アンテナＡＮＴ２には例えば、無線通信装置本体の背面方向に指向性パターンを有するダイバーシチィアンテナが使用される。
【００７９】
そして、アンテナＡＮＴ１又はＡＮＴ２を通じて受信した表示装置＃ｉからの例えば選局指示などの信号は共用部１１７Ｋを通じて受信処理部１１７Ｒに供給される。受信処理部１１７Ｒでは通信先の表示装置＃ｉからの接続要求信号ＳＣを受信処理するようになされる。受信処理部１１７Ｒはこれに供給された信号を復調するなどの処理を行って、制御部２００が扱える信号にし、この信号を制御部２００に供給する。
【００８０】
制御部２００は受信処理部１１７Ｒからの信号が、選局指示などの指示信号であるときにはその指示信号に応じて各部を制御する。したがって、受信処理部１１７Ｒから制御部２００に供給された信号が、選局指示であった場合には制御部２００は供給された選局指示に応じた選局指示信号を選局部１１２に供給し、選局するテレビ放送信号を換えることができるようにされている。
【００８１】
また、受信処理部１１７Ｒから制御部２００に供給された信号が、電子メールなどの送信情報であった場合には制御部２００は後述もするように、モデム部２１０および電話線Ｌを通じて、電話回線を接続し、送信情報を接続した電話回線に送出して、目的とする相手先に送信する。
【００８２】
モデム部２１０は図８に示すように、インターフェース（図８においてはＩ／Ｆと記載）部２１１と、通信部２１２とからなっている。Ｉ／Ｆ部２１１は相手先と選局装置１０１との間に電話網を通じて接続される通信回線と、この選局装置１０１との間のインターフェースであり、電話回線（電話線Ｌ）を通じて送信されてくる信号を受信したり、選局装置１０１からの信号を送信したりする。電話線Ｌは接続端子Ｔ２を通じて宅内に引き込まれる。
【００８３】
通信部２１２はＩ／Ｆ回路２１１を通じて受信した信号を復調して、これを制御部２００に供給したり、制御部２００からの送信信号を変調して、これをＩ／Ｆ回路２１１に供給する。これにより、電話回線が接続された相手先との間で、各種のデータの送受を行うことができるようにされる。
【００８４】
したがって、前述したように、この選局装置１０１ではモデム部２１０、電話線Ｌ、および、所定のＩＳＰ（Ｉｎｔｅｒｎｅｔ　Ｓｅｒｖｉｃｅ　Ｐｒｏｖｉｄｅｒ）を通じてインターネットに接続し、インターネットを通じて各種の情報の提供を受けるようになされる。この例では、電子メールを受信したり送信したり、あるいはチャットをできるようになされる。
【００８５】
このため、制御部２００はモデム部２１０を制御して、オフフックしたりオンフックするなどのことができるとともに、オフフックするようにモデム部２１０を制御したときにはダイヤル信号を電話線Ｌに送出するようにするいわゆるダイヤラとしての機能なども備えたものである。
【００８６】
なお、図８において、制御部２００には電源のオン／オフキーや各種の設定キーが設けられたキー入力部２１５が接続されており、選局装置１０１の主電源のオン／オフや、各種の設定入力が、このキー入力部２１５を通じて行うことができるようにされている。
【００８７】
このように、選局装置１０１ではテレビ放送信号を受信、選局して復調し、この復調したテレビ放送番組の信号をデータ圧縮して、所定の通信プロトコルにしたがって無線送信することができるものである。また、電話回線を通じて提供されるネットワーク情報を受信して復調し、これをテレビ放送信号の場合と同様に、データ圧縮して、所定の通信プロトコルにしたがって無線送信することができるものである。
【００８８】
また、選局装置１０１は後述する表示装置＃ｉから無線送信されてくる選局指示などの指示情報を受信し、その情報に応じた処理を行ったり、表示装置＃ｉから送信されてくる電子メールなどの送信情報を、モデム部２１０を通じて送信することができるものである。
【００８９】
［表示装置］
図９は表示装置＃ｉの内部構成例を示すブロック図である。この表示装置＃ｉは携帯端末表示装置を構成し、前述した選局装置１０１と無線接続されるものである。表示装置＃ｉはＣＰＵ３０１、ＲＯＭ３０２、ＲＡＭ３０３及び、ＥＥＰＲＯＭ３０４をＣＰＵバス３０５を通じて接続して構成されたマイクロコンピュータの制御部３００によって制御するようにされる。
【００９０】
ＣＰＵバス３０５にはこの制御部３００の他に、送受信無線部１２２、伸長処理部１２３、送信信号形成部１２８、キー入力部３２９及びタッチパネル３５１が接続されている。送受信無線部１２２は共用部１２２Ｋ、送信処理部１２２Ｓ及び受信処理部１２２Ｒを有している。伸長処理部１２３には画像信号処理部１２４及び音声信号処理部１２６が接続されている。
【００９１】
ＣＰＵバス３０５に接続されたＲＯＭ３０２にはこの表示装置＃ｉにおいて実行する各種の処理プログラムや処理に必要なデータなどが記録されたものである。ＲＡＭ３０３は各種の処理において得られたデータを一時的に記憶保持するなどのように、主に各種の処理の作業領域として用いられるものである。
【００９２】
ＥＥＰＲＯＭ３０４はいわゆる不揮発性のメモリであり、電源が落とされても、記憶保持した情報が失われることがなく、例えば、各種の設定パラメータや、作成した電子メールや受信した電子メール、チャットの内容（テキストデータ）などを記憶保持することができるものである。
【００９３】
このシステムで選局装置１０１からの無線信号を受信する場合、表示装置＃ｉは次のように動作する。選局装置１０１からの所定の通信プロトコルに準拠した無線信号（基準信号ＳＲ等）は、図９に示す送受信用のアンテナ１２１により受信され、共用部１２２Ｋを通じて受信処理部１２２Ｒに供給される。受信処理部１２２Ｒはこれに供給された信号を復調するなどの処理を行って、復調後の信号を伸長処理部１２３に供給する。
【００９４】
前述したように、選局装置１０１は無線送信する信号はデータ圧縮して送信してくるので、表示装置＃ｉの伸長処理部１２３は選局装置１０１からの変調された信号を伸長して元の信号を復元する。そして、復元した信号が例えば、テレビ放送番組の信号である場合においては、復元された信号は画像信号と音声信号とからなっているので、画像信号は画像信号処理部１２４に供給され、音声信号は音声信号処理部１２６に供給される。
【００９５】
画像信号処理部１２４は伸長処理部１２３からの画像信号から表示用信号を形成し、これをタッチパネル方式のＬＣＤ１２５に供給する。これにより、ＬＣＤ１２５には選局装置１０１から無線送信されてきた画像信号に応じた画像が表示される。一方、音声信号処理部１２６はこれに供給された音声信号からスピーカ１２７に供給する音声信号を形成し、これをスピーカ１２７に供給する。スピーカ１２７は音声信号処理部１２６に接続されている。
【００９６】
これにより、スピーカ１２７からは選局装置１０１から無線送信されてきた音声信号に応じた音声が放音される。このように、表示装置＃ｉは選局装置１０１から無線送信されてくるテレビ放送番組などの信号を受信して、その受信した信号の画像信号や音声信号を再生して出力することにより、使用者に提供することができるものである。
【００９７】
続いて、本発明に係る無線ＬＡＮ通信方法について、当該無線ＬＡＮシステム１００における表示装置認識時及び無線データ送信時の処理例について説明をする。図１０及び図１１は無線ＬＡＮシステム１００の選局装置１０１における通信処理例（その１、２）を各々示すフローチャートである。この例では、選局装置１０１における処理例及び、表示装置＃ｉにおける処理例の２つに分けて説明をする。
【００９８】
［選局装置側］
この実施例では通信先の表示装置＃ｉと任意に無線通信処理をする場合に、装置本体１１の前面方向に指向性パターンを有するアンテナＡＮＴ１と、その背面方向に指向性パターンを有するアンテナＡＮＴ２を選局装置１０１に備えると共に、各々の指向性パターンパターンによる通信エリア内に無線通信可能な通信先の表示装置＃ｉ（ｉ＝１，２）が予め準備される。このような指向性パターンの異なる２個のアンテナＡＮＴ１，ＡＮＴ２が備えられる場合であって、選局装置１０１は表示装置認識時に、アンテナＡＮＴ１，ＡＮＴ２の双方から交互に当該指向性パターン内の通信先の表示装置＃ｉへ基準信号を送信する。また、通信先の表示装置＃１及び＃２の位置は、図４に示したように、表示装置＃１がアンテナＡＮＴ１に近い位置に、表示装置＃２がアンテナＡＮＴ２に近い位置に配置されている場合を想定する。各々の表示装置＃１，２の電源はオンされている。
【００９９】
これを処理条件にして、図１０に示すフローチャートのステップＢ１で選局装置１０１の電源をオンする。その後、ステップＢ２に移行して図４に示したアンテナＡＮＴ１の指向性パターンによる通信エリア内に存在する通信先の表示装置＃１へ基準信号ＳＲが送信される（図３の▲１▼参照）。これに引き続いて、アンテナＡＮＴ２の指向性パターンによる通信エリア内に存在する通信先の表示装置＃２へ基準信号ＳＲが送信される（図３の▲２▼参照）。
【０１００】
その後、ステップＢ３で選局装置１０１では、アンテナＡＮＴ１及びＡＮＴ２の各々の指向性パターンによる通信エリア内に存在する通信先の表示装置＃ｉ（＃１及び＃２）を認識するようになされる。このとき、アンテナＡＮＴ１からの基準信号ＳＲを受けた表示装置＃１は接続要求信号ＳＣを選局装置１０１へ送信し、その無線通信回線の接続要求を通知する。選局装置１０１は表示装置＃１からの接続要求信号ＳＣを受信する（図３の▲３▼参照）。
【０１０１】
次に、ここで認識された通信先の表示装置＃ｉとアンテナＡＮＴ１の対応関係をステップＢ４で記憶処理する。このとき、表示装置＃１からの接続要求信号ＳＣを受けた選局装置１０１は、ＣＰＵ２０１によってＲＡＭ２０３のアンテナテーブル４４に表示装置＃１の端末ＩＤとして例えば、「＃１」を記述し、最適アンテナとして「ＡＮＴ１」を登録（設定）する。これにより、アンテナ設定情報Ｄ１が記憶される。
【０１０２】
さらに、選局装置１０１は表示装置＃１に対してアンテナＡＮＴ１を使用して接続応答信号ＳＡを送信する（図３の▲４▼参照）。そして、表示装置＃１と選局装置１０１とを接続し、この間の無線通信回線を確立するようになされる。
【０１０３】
その後、ステップＢ５に移行して他のアンテナについてチェックするべく、ステップＢ３に戻る。ステップＢ３ではアンテナＡＮＴ２の指向性パターンによる通信エリア内に存在する通信先の表示装置＃２を認識する。このとき、先にアンテナＡＮＴ２から基準信号ＳＲを受けた表示装置＃２では、接続要求信号ＳＣを選局装置１０１に送信し、その無線通信回線の接続要求を通知する。選局装置１０１は表示装置＃２からの接続要求信号ＳＣを受信する（図３の▲５▼参照）。
【０１０４】
この通知を受けた選局装置１０１では、ステップＢ４に移行してＣＰＵ２０１によりＲＡＭ２０３のアンテナテーブル４４に表示装置＃２の端末ＩＤとして「＃２」を追加し、最適アンテナとして「ＡＮＴ２」を設定する。これにより、アンテナ設定情報Ｄ１が記憶される。さらに、表示装置＃２に対して接続応答信号ＳＡをアンテナＡＮＴ２より送信して表示装置＃２と選局装置１０１とを接続しこの間の無線通信回線を確立する（図３の▲６▼参照）。
【０１０５】
そして、ステップＢ６で選局装置１０１ではデータを無線送信するかがチェックされる。データを送信する場合は、ステップＢ７に移行してデータを送信する通信先の表示装置＃ｉと対応するアンテナＡＮＴ１又はＡＮＴ２のいずれかを選択するようになされる。
【０１０６】
［選局装置１０１から表示装置＃１へデータを送信する場合］
この場合は、ステップＢ７で選局装置１０１によってアンテナテーブル４４が参照され、表示装置＃１に対する最適なアンテナである「ＡＮＴ１」を選択する。そして、アンテナ選択情報Ｄ１に基づいてアンテナ選択信号Ｓ１をアンテナ切換え器２に出力する。この結果、アンテナＡＮＴ１に接続されたａ１接点が共用部１１７Ｋに接続される。ここで接続されたアンテナＡＮＴ１を使用してステップＢ８で当該指向性パターン内に存在する表示装置＃１へデータを送信等して通信処理を実行するようになされる（図３▲７▼参照）。その後、ステップＢ１１に移行する。
【０１０７】
なお、表示装置＃１から選局装置１０１へデータを送信する場合は、選局装置１０１では送信処理以外は、ステップＢ１０に移行してアンテナ切換え器２を走査して入力を待機している。例えば、図１１に示すサブルーチンをコールしてそのステップＣ１でアンテナＡＮＴ１，ＡＮＴ２の入力走査処理をする。このとき、共用部１１７Ｋでは受信信号Ｒｘを入力するようになされる。そして、ステップＣ２に移行して接続要求信号ＳＣを受信したかがチェックされる。接続要求信号ＳＣを受信していない場合はステップＣ１に戻って入力走査処理が継続される。
【０１０８】
表示装置＃ｉからの接続要求信号ＳＣを受信した場合は、ステップＣ３に移行してアンテナＡＮＴ１及びＡＮＴ２のどちらが受信電波が強いかを判別して、受信電波が強い方のアンテナＡＮＴ１又はＡＮＴ２を選択する。アンテナＡＮＴ１による受信電波が強い場合は、ステップＣ４に移行して表示装置＃ｉの端末ＩＤを確認する。この場合は、表示装置＃１の端末ＩＤ＝「＃１」が確認される。
【０１０９】
そして、ステップＣ５に移行して接続応答信号ＳＡを表示装置＃１に送信したかがチェックされる。表示装置＃１に接続応答信号ＳＡを送信した場合は、ステップＣ６に移行してアンテナＡＮＴ１を使用して表示装置＃１からデータを受信する。その後、ステップＣ７に移行してデータを全部受信したかがチェックされる。データを全部受信していない場合はステップＣ６に戻って受信が継続される。データを全部受信した場合は図１０に示したフローチャートのステップＢ１０へリターンする。
【０１１０】
また、ステップＣ３でアンテナＡＮＴ２の方が受信電波が強い場合は、ステップＣ８に移行して表示装置＃ｉの端末ＩＤを確認する。この例では、表示装置＃２の端末ＩＤ＝「＃２」が確認される。そして、ステップＣ９に移行して接続応答信号ＳＡを表示装置＃２に送信したかがチェックされる。表示装置＃２に接続応答信号ＳＡを送信した場合は、ステップＣ１０に移行してアンテナＡＮＴ２を使用して表示装置＃２からデータを受信する。
【０１１１】
その後、ステップＣ１１に移行してデータを全部受信したかがチェックされる。データを全部受信していない場合はステップＣ１０に戻って受信が継続される。データを全部受信した場合は図１０に示したフローチャートのステップＢ１０へリターンする。これにより、通信先の表示装置＃１や＃２等からの受信電波が最も強いアンテナＡＮＴ１やＡＮＴ２等を使用してデータを受信するようになされる（図３▲８▼参照）。
【０１１２】
もちろん、表示装置＃１がアンテナＡＮＴ２の指向性パターンによる通信エリアに移動している場合は、表示装置＃１からの受信電波がアンテナＡＮＴ２によって最も強く受信されることから、このアンテナＡＮＴ２を使用してデータを受信するようになされる。これと共に、記憶手段４ではＤＳＰ５０のメモリ制御を受けて、表示装置＃１の最適なアンテナがＡＮＴ２である旨のアンテナ選択情報Ｄ１を書き換えるようになされる。
【０１１３】
［選局装置１０１から表示装置＃２へデータを送信する場合］
この場合も、図１０に示したフローチャートのステップＢ７で選局装置１０１のＣＰＵ２０１によってＲＡＭ２０３のアンテナテーブル４４が参照され、表示装置＃２に対する最適なアンテナである「ＡＮＴ２」を選択するようになされる。そして、アンテナ選択情報Ｄ１に基づいてアンテナ選択信号Ｓ１をアンテナ切換え器２に出力する。この結果、アンテナＡＮＴ２に接続されたｂ１接点が共用部１１７Ｋに接続される。ここで接続されたアンテナＡＮＴ２を使用してステップＢ９で当該指向性パターンの通信エリア内に存在する表示装置＃２にデータを送信等して通信処理を実行するようになされる（図３▲９▼参照）。その後、ステップＢ１１に移行する。
【０１１４】
また、表示装置＃２が選局装置１０１へデータを送信する場合は、図１１で説明した通りに、通信先の表示装置＃２からの受信電波が最も強いアンテナＡＮＴ２を使用してデータを受信するようになされる。その後、ステップＢ１１に移行する。ステップＢ１１では当該通信処理を終了するかがチェックされる。例えば、電源オフ情報を検出して当該通信処理を終了する。当該通信処理を終了しない場合はステップＢ６に戻ってデータを送信するかがチェックされ、上述した処理を繰り返すようになされる。
【０１１５】
［表示装置側］
図１２及び図１３は、表示装置＃ｉにおける通信処理例（その１、２）を各々示すフローチャートである。
この例では表示装置認識時に、選局装置１０１から基準信号ＳＲを受信した場合は、接続要求信号ＳＣを選局装置１０１へ送信し、データ送信時にも、選局装置１０１へ接続要求信号ＳＣを送信する場合を前提とする。
【０１１６】
これを処理条件にして、図１２に示すフローチャートのステップＥ１で電源をオンした後、ステップＥ２に移行して基準信号ＳＲの受信が待機される。基準信号ＳＲを受信した場合に、ステップＥ３に移行して接続要求信号ＳＣを選局装置１０１に送信する。その後、ステップＥ４に移行して接続応答信号ＳＡの受信が待機される。
【０１１７】
この接続応答信号ＳＡを受信した場合は、ステップＥ５に移行してデータの受信が待機される。例えば、選局装置１０１で受信した電子メールや、チャットの内容（テキストデータ）等のデータを受信した場合、ステップＥ６に移行して受信データがＲＡＭ３０２又はＥＥＰＲＯＭ３０４に格納される。その後、ステップＥ７に移行して返信用の電子メールの作成等のデータ処理がなされ、図１３のフローチャートのステップＥ８に移行してデータ処理を終了したかがチェックされる。データ処理を終了していない場合はステップＥ７に戻ってデータ処理が継続される。
【０１１８】
このデータ処理が終了した場合は、ステップＥ９に移行して返信用の電子メール等のデータ処理の結果等を選局装置１０１へ送信するかがチェックされる。データ処理の結果を選局装置１０１へ送信する場合は、ステップＥ１０に移行して選局装置１０１へ接続要求信号ＳＣを送信し、ステップＥ１１で選局装置１０１からの接続応答信号ＳＡを待機する。
【０１１９】
この選局装置１０１から接続応答信号ＳＡを受信した場合は、ステップＥ１２に移行して電子メールや、チャットの内容等のデータを選局装置１０１へ送信する。その後、ステップＥ１３に移行して当該通信処理を終了するかがチェックされる。例えば、電源オフ情報を検出して当該通信処理を終了する。当該通信処理を終了しない場合はステップＥ７に戻ってデータ処理を継続するようになされる。
【０１２０】
このように、本発明に係る実施例としての無線ＬＡＮシステム１００によれば、ベース・ステーション（無線基地局）としての選局装置１０１と２台の表示装置＃１，＃２との間で無線通信処理をする場合に、選局装置１０１では、定期的又は不定期的にアンテナＡＮＴ１，ＡＮＴ２の各々の指向性パターンによる通信エリアＩ，ＩＩ内に存在する通信先の表示装置＃ｉが認識処理され、この通信先の表示装置＃ｉとアンテナＡＮＴ１又はＡＮＴ２との対応関係がＲＡＭ２０３へアンテナテーブル４４として記憶処理される。無線データ送信時には、このアンテナテーブル４４に基づいて当該表示装置＃ｉと対応するアンテナＡＮＴ１又はＡＮＴ２を選択処理するようになされる。
【０１２１】
従って、当該表示装置＃ｉと対応する最適なアンテナＡＮＴ１又はＡＮＴ２を常に選択できるので、最適なアンテナＡＮＴ１又はＡＮＴ２を使用して当該指向性パターンによる通信エリア内に存在する表示装置＃ｉとの間で無線通信処理を行うことができる。しかも、従来方式に比べて、通信内容が途切れることなく、最適に無線通信処理を行うことができる。これにより、無線通信品質の高い無線ＬＡＮシステム１００を構築することができる。
【０１２２】
【発明の効果】
以上説明したように、本発明に係る無線通信システムによれば、無線基地局と任意の無線通信装置との間で無線通信処理をする場合に、基地局用の無線通信装置では、アンテナ体の各々の指向性パターンによる通信エリア内に存在する通信先の無線端末装置が認識処理され、この通信先の無線端末装置とアンテナ体の対応関係が記憶処理される。無線通信時には、この記憶処理に基づいて当該無線通信装置と対応するアンテナ体を選択処理するようになされる。
【０１２３】
この構成によって、当該無線通信装置と対応する最適なアンテナ体を選択できるので、常に、最適なアンテナ体を使用して当該指向性内に存在する無線通信装置との間で無線通信処理を行うことができる。しかも、従来方式に比べて、通信内容が途切れることなく、最適に無線通信処理を行うことができる。
【０１２４】
本発明に係る無線通信装置及び無線通信方法によれば、通信先の無線端末装置と任意に無線通信処理をする場合に、アンテナ体の各々の指向性パターンによる通信エリア内に存在する通信先の無線端末装置を認識し、かつ、当該通信先の無線端末装置とアンテナ体の対応関係を認識する制御装置を備え、この制御装置は無線通信時に、当該無線通信装置と対応するアンテナ体を選択し、ここで選択されたアンテナ体を使用して当該指向性内に存在する無線通信装置と通信処理をするようになされる。
【０１２５】
この構成によって、常に、最適なアンテナ体を使用して当該指向性内に存在する無線通信装置との間で無線通信処理を行うことができる。しかも、従来方式に比べて、通信内容が途切れることなく、最適に無線通信処理を行うことができる。従って、無線通信品質の向上に寄与するところが大きい。
【０１２６】
この発明は、使用周波数２．４ＧＨｚ帯や５．２ＧＨｚ帯等を利用した無線ＬＡＮ基地局用の無線通信装置（アクセス・ポイント）に適用して極めて好適である。
【図面の簡単な説明】
【図１】本発明に係る実施形態としての無線通信システム１０の構成例を示す概念図である。
【図２】本発明に係る実施形態としての無線通信システム１０における端末認識時及び無線送信時の処理例を示すフローチャートである。
【図３】本発明に係る基地局用の無線通信装置１の動作例を示すタイムチャートである。
【図４】本発明に係る実施例としての無線ＬＡＮシステム１００の構成例を示す斜視図である。
【図５】基地局用の選局装置１０１におけるアンテナ取付例を示す斜視図である。
【図６】Ａ及びＢはアンテナＡＮＴ１及びＡＮＴ２の指向性パターンの例を示す概念図である。
【図７】選局装置１０１の通信エリアＩ，ＩＩの形成例を示す概念図である。
【図８】選局装置１０１の内部構成例を示すブロック図である。
【図９】表示装置＃ｉの内部構成例を示すブロック図である。
【図１０】無線ＬＡＮシステム１００の選局装置１０１における通信処理例（その１）を示すフローチャートである。
【図１１】無線ＬＡＮシステム１００の選局装置１０１における通信処理例（その２）を示すフローチャートである。
【図１２】表示装置＃ｉにおける通信処理例（その１）を示すフローチャートである。
【図１３】表示装置＃ｉにおける通信処理例（その２）を示すフローチャートである。
【符号の説明】
１・・・基地局用の無線通信装置、２・・・アンテナ切換え器、３・・・送受信手段、４・・・記憶手段、５・・・制御装置、１０・・・無線通信システム、４４・・・アンテナテーブル、５０・・・ＤＳＰ（制御装置）、１００・・・無線ＬＡＮシステム、１０１・・・選局装置（無線通信装置）、２０１・・・ＣＰＵ（制御装置）、２０３・・・ＲＡＭ（記憶手段）、＃１，＃２・・・表示装置（無線端末装置）、ＡＮＴ１，ＡＮＴ２・・・ダイバーシチィアンテナ（アンテナ体）
【図１】
2004112619.tif 000003
【図２】
2004112619.tif 000004
【図３】
2004112619.tif 000005
【図４】
2004112619.tif 000006
【図５】
2004112619.tif 000007
【図６】
2004112619.tif 000008
【図７】
2004112619.tif 000009
【図８】
2004112619.tif 000010
【図９】
2004112619.tif 000011
【図１０】
2004112619.tif 000012
【図１１】
2004112619.tif 000013
【図１２】
2004112619.tif 000014
【図１３】
2004112619.tif 000015